(57)【要約】【課題】ラベルのみが交換可能な自動販売機のディスプレイに設置する飲料用ダミー容器を提供する。【解決手段】ダミー容器１は、商品である飲料用容器の縦方向半割り形状を模した透視可能な樹脂プラスチックシートで形成したカバー体２と、商品である飲料用容器と同一の表示を施した表示面を前記カバー体２外面側から視認可能にカバー体２内面に沿って配置するラベル３と、前記のように配置したラベル３を離脱可能に保持するためのラベル支持部材４とから構成する。前記ラベル支持部材４は、弾力性を有するプラスチックシートで形成し、カバー体２側部の一対の割り縁に、それらの先端に離脱可能な連結部６ａ，６ｂを設けた一対のアーム状の支持部７ａ，７ｂを折曲可能に連接して構成する。【選択図】図１
2010092282.tif 000002
【特許請求の範囲】
【請求項１】
商品である飲料用容器の縦方向半割り形状を模した透視可能な樹脂プラスチックシートで形成したカバー体と、商品である飲料用容器と同一の表示を施した表示面を前記カバー体外面側から視認可能にカバー体内面に沿って配置するラベルと、前記のように配置したラベルを離脱可能に支持するためのラベル支持部材とから構成した自動販売機のディスプレイに配置する飲料用ダミー容器。
【請求項２】
ラベル支持部材は、弾力性を有するプラスチックシートで形成してなる一対のアーム状支持部を有し、各基端をカバー体側部の一対の割り縁に折曲可能に一体的に連接し、各先端には互いに係脱可能な連結部を設けてなることを特徴とする請求項１記載の自動販売機のディスプレイに配置する飲料用ダミー容器。
【請求項３】
ラベル支持部材は、ラベルをカバー体の内面に当接するよう押圧する周縁を有するとともに、前記カバー体側部の一対の割り縁に係脱可能に係止する係止部を有してなることを特徴とする請求項１記載の自動販売機のディスプレイに配置する飲料用ダミー容器。
【請求項４】
ラベル支持部材は、カバー体側部の一対の割り縁あるいは一対の割り縁の各近傍の側部に設けた複数対の係止突起から構成したことを特徴とする請求項１記載の自動販売機のディスプレイに配置する飲料用ダミー容器。
【請求項５】
ラベル支持部材は、弾力性を有するプラスチックシートで形成し、カバー体側部の一対の割り縁近傍に設けた縦方向に延びる一対の切り込みに挿脱可能に挿入する突片を両端に有してなることを特徴とする請求項１記載の自動販売機のディスプレイに配置する飲料用ダミー容器。
【請求項６】
カバー体は上下端に天部と底部を有する一方、ラベル支持部材は、カバー体の前記天部及び底部の各割り縁に折曲可能に一体的に連接し、それぞれ前記天部及び底部より若干小さく形成した折曲部と、前記折曲部の周縁に折曲可能に突設したラベルを支持する突片とから構成したことを特徴とする請求項１記載の自動販売機のディスプレイに配置する飲料用ダミー容器。
【請求項７】
カバー体は上下端に天部と底部を有する一方、ラベル支持部材は、カバー体の前記天部内面に固定する折曲部と、カバー体内面に沿って伸ばしてカバー体の底部に達して折曲してなるラベルを支持する支持部とから構成したことを特徴とする請求項１記載の自動販売機のディスプレイに配置する飲料用ダミー容器。
【発明の詳細な説明】
【技術分野】
【０００１】
本発明は、缶やボトルなどの飲料用容器に模した飲料用ダミー容器に係り、特に、プラスチックシートで形成し、前記飲料用容器を縦方向半割り形状となした自動販売機のディスプレイに配置する飲料用ダミー容器に関する。
【背景技術】
【０００２】
従来、自動販売機のディスプレイに配置する飲料用ダミー容器は、例えば、飲料用容器を模したプラスチックシートに、商品と同じ表示を直接印刷したものが一般的であった（特許文献１参照）。この飲料用ダミー容器は、プラスチックシートに文字やデザインなどの印刷を施した後、これを飲料用容器の半割り形状に成型するという方法で製造していた。
【０００３】
【特許文献１】特開２００６−０５９０６４号公報
【発明の開示】
【発明が解決しようとする課題】
【０００４】
前記従来の一般的な飲料用ダミー容器は、例えば販売商品が変更された場合などは、新商品と同じ表示を施した新たなダミー容器に交換していたが、ダミー容器の製造費が比較的高いので、交換費用が嵩むという問題があった。
【０００５】
本発明は、上記問題を解消することを課題とし、該課題を解消した自動販売機のディスプレイに配置する飲料用ダミー容器を提供することを目的とする。
【課題を解決するための手段】
【０００６】
上記目的を達成するために、請求項１に係る発明は、商品である飲料用容器の縦方向半割り形状を模した透視可能な樹脂プラスチックシートで形成したカバー体と、商品である飲料用容器と同一の表示を施した表示面を前記カバー体外面側から視認可能にカバー体内面に沿って配置するラベルと、前記のように配置したラベルを離脱可能に支持するためのラベル支持部材とから構成したものである。
【０００７】
また、請求項２に係る発明は、請求項１に係る発明において、ラベル支持部材は、弾力性を有するプラスチックシートで形成してなる一対のアーム状支持部を有し、各基端をカバー体側部の一対の割り縁に折曲可能に一体的に連接し、各先端には互いに係脱可能な連結部を設けてなるものである。
【０００８】
また、請求項３に係る発明は、請求項１に係る発明において、ラベル支持部材は、ラベルをカバー体内面に当接するよう押圧する周縁を有するとともに、前記カバー体側部の一対の割り縁に係脱可能に係止する係止部を有してなるものである。
【０００９】
また、請求項４に係る発明は、請求項１に係る発明において、ラベル支持部材は、カバー体側部の一対の割り縁あるいは一対の割り縁の各近傍の側部に設けた複数対の係止突起から構成したものである。
【００１０】
また、請求項５に係る発明は、請求項１に係る発明において、ラベル支持部材は、弾力性を有するプラスチックシートで形成し、カバー体側部の一対の割り縁近傍に設けた縦方向に延びる一対の切り込みに挿脱可能に挿入する突片を両端に有してなるものである。
【００１１】
また、請求項６に係る発明は、請求項１に係る発明において、カバー体は上下端に天部と底部を有する一方、ラベル支持部材は、カバー体の前記天部及び底部の各割り縁に折曲可能に一体的に連接し、それぞれ前記天部及び底部より若干小さく形成した折曲部と、前記折曲部の周縁に折曲可能に突設したラベルを支持する突片とから構成したものである。
【００１２】
また、請求項７に係る発明は、請求項１に係る発明において、カバー体は上下端に天部と底部を有する一方、ラベル支持部材は、カバー体の天部内面に固定する折曲基部と、カバー体の内面に沿って伸ばしてカバー体の底部に達して折曲したラベルを支持する支持部とから構成したものである。
【発明の効果】
【００１３】
以上のように構成した請求項１に係る本発明は、必要に応じてラベルを交換できるので、例えば販売商品が変更された場合などは、比較的低廉なラベルのみを交換すれば足りるので、経費を節約できるという効果を奏する。
【００１４】
また、請求項２に係る本発明は、請求項１に係る発明の効果に加えて、各支持部をカバー体の内側に折曲するとともに前記連結部を連結してからカバー体内面に沿って配置したラベルを支持し得るので、ラベルの交換が容易で、かつ、ラベルの支持が確実である効果を奏する。
【００１５】
また、請求項３に係る本発明は、請求項１に係る発明の効果に加えて、支持体の周縁によってカバー体内面に沿って配置したラベルを支持し得るので、ラベルの交換が容易で、かつ、ラベルの支持が確実であるという効果を奏する。
【００１６】
また、請求項４に係る本発明は、請求項１に係る発明の効果に加えて、突起でラベルの側縁部を支持し得るので、ラベルの交換が容易で、かつ、ラベルの支持が確実であるという効果を奏する。
【００１７】
また、請求項５に係る本発明は、請求項１に係る発明の効果に加えて、ラベルをカバー体内面に当接し、支持体の両突片をカバー体の両切り込みに差し込むことでラベルを支持し得るので、ラベルの交換が容易で、かつ、ラベルの支持が確実であるという効果を奏する。
【００１８】
また、請求項６に係る本発明は、請求項１に係る発明の効果に加えて、支持部をカバー体の内側に折曲した状態において、それらの周縁に設けた突片によってカバー体内面に沿って配置したラベルを支持し得るので、ラベルの交換が容易で、かつ、ラベルの支持が確実であるという効果を奏する。
【００１９】
また、請求項７に係る本発明は、請求項１に係る発明の効果に加えて、カバー体の天部内面にその折曲部を固定し、該カバー体内面に沿って伸びた支持部でラベルを支持し得るので、ラベルの交換が容易で、かつ、ラベルの支持が確実であるという効果を奏する。
【発明を実施するための最良の形態】
【００２０】
次に、本発明を飲料用缶容器に適用した第１実施形態を添付図面の図１〜図３に基づいて詳細に説明する。ここにおいて、図１はラベルを支持する前の状態を示す斜視図、図２はラベルを支持した状態を示す斜視図、図３はラベルを支持した状態を示す縦断面図である。また、図４〜図６は前記第１実施形態の変形例を示すもので、図４はラベルを支持する前の状態を示す斜視図、図５はラベルを支持する途中の状態を示す斜視図、図６はラベルを支持した状態を示す斜視図である。
【００２１】
図１〜図３に示すように、ダミー容器１は、上下端に天部と底部を有し、側部を円筒状となした商品である飲料用容器たる缶容器（図示せず）の縦方向半割り形状を模した透視可能なプラスチックシートで形成したカバー体２と、前記缶容器と同一の表示を印刷した表示面（図示せず）を前記カバー体２の外面側から視認可能にカバー体２内面に沿って配置するラベル３と、前記のように配置したラベル３を離脱可能に支持するためのラベル支持部材４Ａから構成する。
【００２２】
ラベル支持部材４Ａは、カバー体２の側部の一対の割り縁５ａ，５ｂに、それらの先端に離脱可能な凹凸状の連結部６ａ，６ｂを設けた一対のアーム状の支持部７ａ，７ｂを折り用ミシン目８ａ，８ｂを介して折曲可能に一体的に連接して構成する。前記支持部７ａ，７ｂは、それぞれの割り縁５ａ，５ｂの両側の外側に向いて伸びるようにカバー体２と一体的に形成するものである。
【００２３】
前記ラベル支持部材４Ａによってラベル３をカバー体２内面に支持するには、先ず、ラベル３の表示面をカバー体２内面に当て（図１参照）、支持部７ａ，７ｂをその折り用ミシン目８ａ，８ｂで折曲してカバー体２の内側に向ける。続いて、前記連結部６ａ，６ｂの凹凸状部分を係合して互いに連結し、この連結部分をカバー体２内面に向けて押し込むことによって、連結した各支持部７ａ，７ｂをカバー体２内面側に撓ませながら変位させ、ラベル３をカバー体２内面に押しつけたラベル支持状態とする（図２及び図３参照）。
【００２４】
第１実施形態の変形例は、カバー体とラベルについては前記第１実施形態と同様なので、その説明は省略して図４〜図６に表示された部材に前記第１実施形態と同一の符号を付すに止め、前記第１実施形態と異なるラベル支持部材４Ｂについてのみ詳細に説明する。図４〜図６に示すように、ラベル支持部材４Ｂは、カバー体２の側部の一対の割り縁５ａ，５ｂに、先端に互いに離脱可能な凹部と凸部を有する連結部９ａ，９ｂを設けた一対のアーム状支持部１０ａ，１０ｂを折り用ミシン目１１ａ，１１ｂを介して折曲可能に連接して構成する。前記支持部１０ａ，１０ｂは、前記連接部分（折り用ミシン目１１ａ，１１ｂ部分）からそれぞれの割り縁５ａ，５ｂに沿って伸びるようにカバー体２と一体的に形成するものである。また、前記支持部１０ａ，１０ｂにはそれぞれ、前記連接部である折り用ミシン目１１ａ，１１ｂの下端部位から支持部１０ａ，１０ｂの幅方向と４５度傾斜するように伸びる折り用ミシン目１２ａ，１２ｂが設けてある。
【００２５】
前記ラベル支持部材４Ｂによってラベル３をカバー体内側に支持するには、先ず、支持部１０ａ，１０ｂを折り用ミシン目１２ａ，１２ｂで折り畳み、それらの先端側を割り縁５ａ，５ｂの両側の外側に向けて伸ばす（図５参照）。次に、ラベル３の表示面をカバー体２内面に当て、支持部１０ａ，１０ｂをその折り用ミシン目１１ａ，１１ｂで折曲してカバー体２の内側に向ける。続いて、前記連結部９ａ，９ｂの凹部と凸部を係合して互いに連結し、この連結部分をカバー体２内面に向けて押し込むと、連結した各支持部１０ａ，１０ｂがカバー体２内面側に膨らむように撓んで変位し、ラベル２をカバー体２内面に押しつけたラベル支持状態となる（図６参照）。
【００２６】
前記変形例のラベル支持部材４Ｂは、割り縁５ａ，５ｂの両側の外側に向いて長く伸びていない（図４参照）ので、カバー体２と支持部１０ａ，１０ｂを一体成型する製造工程において、成型機材の横方向の幅を短くできるとともに、ダミー容器の運搬時などに嵩張らないという利点がある。
【００２７】
次に、本発明を飲料用缶容器に適用した第２実施形態を添付図面の図７〜図９に基づいて詳細に説明する。ここにおいて、図７はラベルを支持した状態を示す斜視図、図８はラベルを支持した状態を示す縦断面図、図９はラベル支持部材の展開図である。
【００２８】
図７及び図８に示すように、ダミー容器２１は、上下端に天部と底部を有し、側部を円筒状となした商品である飲料用容器たる缶容器（図示せず）の縦方向半割り形状を模した透視可能なプラスチックシートで形成したカバー体２２と、前記缶容器と同一の表示を印刷した表示面（図示せず）を前記カバー体２２の外面側から視認可能にカバー体２２内面に沿って配置するラベル２３と、前記のように配置したラベル２３を離脱可能に支持するためのラベル支持部材２４とから構成する。
【００２９】
ラベル支持部材２４は、カバー体２２の内面に当接する弧状の周縁部２５をそれぞれ有するとともに、前記カバー体２２側部の一対の割り縁２６ａ，２６ｂに係止する切り込み２７ａ，２７ｂを前記周縁部２５の両端にそれぞれ形成したほぼ半円形状の一対の支持板２８を、前記各周縁部２５の各中央で連結し（図９参照）、前記各支持板２８を、前記連結部で折って二枚重ねにして構成する。
【００３０】
前記ラベル支持部材２４によってラベル２３をカバー体２２内面に支持するには、各一対の切り込み２７ａ，２７ｂをカバー体２２側部の一対の割り縁２６ａ，２６ｂに挿し込んで係止することにより、前記周縁部２５でラベル２３をカバー体２２内面に押圧支持したラベル支持状態となる。
【００３１】
続いて、本発明を飲料用缶容器に適用した第３実施形態を添付図面の図１０及び図１１に基づいて詳細に説明する。ここにおいて、図１０はラベルを支持した状態を示す斜視図である。また、図１１は前記第３実施形態のラベル支持部材の変形例を示す斜視図である。
【００３２】
図１０に示すように、ダミー容器４１は、上下端に天部と底部を有し、側部を円筒状となした商品である飲料用容器たる缶容器（図示せず）の縦方向半割り形状を模した透視可能なプラスチックシートで形成したカバー体４２と、前記缶容器と同一の表示を印刷した表示面（図示せず）を前記カバー体４２の外面側から視認可能にカバー体４２内面に沿って配置するラベル４３と、前記のように配置したラベル４３を離脱可能に支持するためのラベル支持部材４４Ａとから構成する。
【００３３】
ラベル支持部材４４Ａは、カバー体４２の両割り縁４５ａ，４５ｂに対向して設けた二組の係止突起から構成する。
【００３４】
前記ラベル支持部材４４Ａによってラベル４３をカバー体４２内側に支持するには、ラベル４３をカバー体４２内面に当てるとともに、ラベル４３の両側部縁を二組の係止突起の内側に係止させてラベル支持状態とする。
【００３５】
図１１に示すように、前記第３実施形態の変形例のラベル支持部材４４Ｂは、前記係止突起に代えてカバー体４２の両割り縁４５ａ，４５ｂ近傍の側面に円孔を透設して、円孔の周囲に形成される内側に突出するバリにて構成するものである。このラベル支持部材４４Ｂによるラベル４３の支持方法は、上記ラベル支持部材４４Ａの場合と同様であるから、その説明は省略する。
【００３６】
続いて、本発明を飲料用缶容器に適用した第４実施形態を添付図面の図１２及び図１３に基づいて詳細に説明する。ここにおいて、図１２はラベルを支持した状態を示す斜視図である。また、図１３はラベル支持部材の正面図である。
【００３７】
図１２に示すように、ダミー容器５１は、上下端に天部と底部を有し、側部を円筒状となした商品である飲料用容器たる缶容器（図示せず）の縦方向半割り形状を模した透視可能なプラスチックシートで形成したカバー体５２と、前記缶容器と同一の表示を印刷した表示面（図示せず）を前記カバー体５２の外面側から視認可能にカバー体５２内面に沿って配置するラベル５３と、前記のように配置したラベル５３を離脱可能に支持するためのラベル支持部材５４とから構成する。
【００３８】
図１２及び図１３に示すように、ラベル支持部材５４は、弾力性を有するプラスチックシートで形成し、両端に突片５５ａ，５５ｂを設けてなる。一方、カバー体５２の側部の一対の割り縁５６ａ，５６ｂの各近傍には、縦方向に延び、前記ラベル支持部材５４の突片５５ａ，５５ｂを差し込み得る一対の切り込み５７ａ，５７ｂを設けている。
【００３９】
前記ラベル支持部材５４によってラベル５３をカバー体５２内面に支持するには、ラベル５３をカバー体５２内面に当て、ラベル支持部材５４の両突片５５ａ，５５ｂをカバー体５２の両切り込み５７ａ，５７ｂに差し込み、ラベル支持部材５４の中央をカバー体５２内側に押し込むと、ラベル支持部材５４がカバー体５２内面側に撓んで変位し、ラベル５３をカバー体５２内面に押し付けたラベル支持状態となる。
【００４０】
続いて、本発明を飲料用缶容器に適用した第５実施形態を添付図面の図１４及び図１５に基づいて詳細に説明する。ここにおいて、図１４はラベルを支持した状態を示す斜視図、図１５はラベルを支持する前の状態を示す縦断面図である。
【００４１】
図１４及び図１５に示すように、ダミー容器６１は、上下端に半円形状天部６５と底部６６を有し、側部を円筒状となした商品である飲料用容器たる缶容器（図示せず）の縦方向半割り形状を模した透視可能なプラスチックシートで形成したカバー体６２と、前記缶容器と同一の表示を印刷した表示面（図示せず）を前記カバー体６２の外面側から視認可能にカバー体６２内面に沿って配置するラベル６３と、前記のように配置したラベル６３を離脱可能に支持するためのラベル支持部材６４とから構成する。
【００４２】
ラベル支持部材６４は、カバー体の天部６５及び底部６６の各割り縁６７ａ，６７ｂに折曲可能に一体的に連接し、それぞれ前記天部６５及び底部６６より若干小さく形成した折曲部６８ａ，６８ｂと、前記折曲部６８ａ，６８ｂ周縁の先端中央に折曲可能に突設し、折曲状態でラベル６３を支持するための突片６９ａ，６９ｂとから構成する。
【００４３】
前記ラベル支持部材６４によってラベル６３をカバー体６２内面に支持するには、前記折曲部６８ａ，６８ｂを前記各割り縁６７ａ，６７ｂを折り目としてカバー体６２の内側に回転させるように折曲し、前記天部６５及び底部６６の各裏面に当接した状態となし、前記折曲部６８ａ，６８ｂの周縁及び折曲した突片６９ａ，６９ｂによってラベル６３を支持するラベル支持状態とする。
【００４４】
続いて、本発明を飲料用缶容器に適用した第６実施形態を添付図面の図１６〜図１８に基づいて詳細に説明する。ここにおいて、図１６はラベルを支持した状態を示す斜視図、図１７はラベルを支持した状態を示す縦断面図、図１８はラベル支持部材の拡大側面図である。
【００４５】
図１６〜図１８に示すように、ダミー容器７１は、天部と底部を有し、側部を円筒状となした商品である飲料用容器たる缶容器（図示せず）の縦方向半割り形状を模した透視可能なプラスチックシートで形成し、上下端に半円形の天部７５と底部７６を有するカバー体７２と、前記缶容器と同一の表示を印刷した表示面（図示せず）を前記カバー体７２の外面側から視認可能にカバー体７２内面に沿って配置するラベル７３と、前記のように配置したラベル７３を離脱可能に保持するためのラベル支持部材７４とから構成する。また、前記底部７６の内面には、後述の下端折曲部７９を係止する突起７６ｂが突設されている。
【００４６】
図１６〜図１８に示すように、ラベル支持部材７４は、カバー体７２の天部７５内面に接着剤７７ａで接着して固定する上端折曲部７７と、該上端折曲部７７から前記カバー体７２内面に沿って伸び、カバー体７２の底部７６に達すると折曲されて下端折曲部７９を形成してなる帯状の支持部７８とから構成する。前記下端折曲部７９は、カバー体７２の底部７６内面に当接して、前記突起７６ｂで係止される。
【００４７】
前記ラベル支持部材７４によってラベル７３をカバー体７２内面に支持するには、上端折曲部７７を接着剤７７ａでカバー体７２の天部７５に接着した後、カバー体７２内面とラベル支持部材７４との間にラベル７３を挟んでカバー７２内面に押し付けると、下端折曲部７９が底部７６内面に当接するとともに突起７６ｂに係止したラベル支持状態となる。
【００４８】
なお、本発明は上記各実施形態あるいはそれらの変形例になんら限定されるものではなく、例えば、ラベル支持部材は、前記各実施形態のラベル支持部材４，２４，４４，５４，６４，７４に限るものではなく、例えば、カバー体を二つ用い、一方を本来のカバー体とし、他方をラベル支持部材としたものでもよい。この場合、一方のカバー体の内側にラベルを配置した後、他方を前記ラベルに押しつけるようにして、一方のカバー体に他方のカバー体を嵌め込むようにすれば、他方のカバー体でラベルを支持することができる。また、第１〜第４実施形態は、缶容器ではなくボトル容器に適用してもよい。
【図面の簡単な説明】
【００４９】
【図１】第１実施形態におけるラベルを支持する前の状態を示す斜視図。
【図２】第１実施形態におけるラベルを支持した状態を示す斜視図。
【図３】第１実施形態におけるラベルを支持した状態を示す縦断面図。
【図４】第１実施形態の変形例におけるラベルを支持する前の状態を示す斜視図。
【図５】第１実施形態の変形例におけるラベルを支持する途中の状態を示す斜視図。
【図６】第１実施形態の変形例におけるラベルを支持した状態を示す斜視図。
【図７】第２実施形態におけるラベルを支持した状態を示す斜視図。
【図８】第２実施形態におけるラベルを支持した状態を示す縦断面図。
【図９】第２実施形態におけるラベル支持部材の展開図。
【図１０】第３実施形態におけるラベルを支持した状態を示す斜視図。
【図１１】第３実施形態の変形例におけるラベル支持部材の視図
【図１２】第４実施形態におけるラベルを支持した状態を示す斜視図。
【図１３】第４実施形態における支持体の正面図。
【図１４】第５実施形態におけるラベルを支持する前の状態を示す斜視図。
【図１５】第５実施形態におけるラベルを支持した状態を示す縦断面図。
【図１６】第６実施形態におけるラベルを支持した状態を示す斜視図。
【図１７】第６実施形態におけるラベルを支持した状態を示す縦断面図。
【図１８】第６実施形態におけるラベル支持部材の拡大側面図。
【符号の説明】
【００５０】
１    ダミー容器
２    カバー体
３    ラベル
４Ａ，４Ｂ    ラベル支持部材
５ａ，５ｂ    割り縁
６ａ，６ｂ    連結部
７ａ，７ｂ    支持部
８ａ，８ｂ    折り用ミシン目
９ａ，９ｂ    連結部
１０ａ，１０ｂ    支持部
１１ａ，１１ｂ    折り用ミシン目
１２ａ，１２ｂ    折り用ミシン目
２１    ダミー容器
２２    カバー体
２３    ラベル
２４    支持部材
２５    周縁部
２６ａ，２６ｂ    割り縁
２７ａ，２７ｂ    切り込み
４１    ダミー容器
４２    カバー体
４３    ラベル
４４Ａ，４４Ｂ    支持部材
４５    割り縁
５１    ダミー容器
５２    カバー体
５３    ラベル
５４    支持部材
５５ａ，５５ｂ    突片
５６ａ，５６ｂ    割り縁
５７ａ，５７ｂ    切り込み
６１    ダミー容器
６２    カバー体
６３    ラベル
６４    ラベル支持部材
６５    天部
６６    底部
６７ａ，６７ｂ    割り縁
６８ａ，６８ｂ    折曲部
６９ａ，６９ｂ    突片
７１    ダミー容器
７２    カバー体
７３    ラベル
７４    ラベル支持部材
７５    天部
７６    底部
７７    上端折曲部
７７ａ    接着剤
７８    支持部
７９    下端折曲部
【図１】
2010092282.tif 000003
【図２】
2010092282.tif 000004
【図３】
2010092282.tif 000005
【図４】
2010092282.tif 000006
【図５】
2010092282.tif 000007
【図６】
2010092282.tif 000008
【図７】
2010092282.tif 000009
【図８】
2010092282.tif 000010
【図９】
2010092282.tif 000011
【図１０】
2010092282.tif 000012
【図１１】
2010092282.tif 000013
【図１２】
2010092282.tif 000014
【図１３】
2010092282.tif 000015
【図１４】
2010092282.tif 000016
【図１５】
2010092282.tif 000017
【図１６】
2010092282.tif 000018
【図１７】
2010092282.tif 000019
【図１８】
2010092282.tif 000020